(57)【要約】【課題】画像読取装置の小型化を可能とし、また、可動枠体の取り付け、取り外しの作業性を向上させる。【解決手段】画像読取装置の枠体駆動部４０において、駆動軸４２及び従動軸４３の両端に、大プーリー４５ａ及び小プーリー４５ｂからなる２段プーリー４５を設け、大プーリー４５ａには高速ワイヤ４４ａ、小プーリー４５ｂには低速ワイヤ４４ｂを巻き掛ける。２段プーリー４５は、大プーリー４５ａが小プーリー４５ｂの外側となるように配置する。【選択図】図２
2008176023.tif 000002
【特許請求の範囲】
【請求項１】
第１のプーリーと、前記第１のプーリーと軸を一致させるように配置された前記第１のプーリーの直径の半分の直径の第２のプーリーとからなる２段プーリーを両端に備えた駆動軸及び従動軸と、
前記駆動軸の前記２段プーリーの前記第１のプーリーと前記従動軸の前記２段プーリーの前記第１のプーリーに巻き掛けられた無端の第１のワイヤと、
前記駆動軸の前記２段プーリーの前記第２のプーリーと前記従動軸の前記２段プーリーの前記第２のプーリーに巻き掛けられた無端の第２のワイヤと、
前記第１のワイヤに端部を固定され、原稿を走査する第１の可動枠体と、
前記第２のワイヤに端部を固定され、前記第１の可動枠体で原稿を走査した光を反射させる第２の可動枠体と、
前記第２の可動枠体で反射した光を受ける受光部と、
を備える画像読取装置において、
全ての前記２段プーリーが、前記第１のプーリーが前記第２のプーリーの外側となるように設けられていることを特徴とする画像読取装置。
【請求項２】
第１のプーリーと、前記第１のプーリーと軸を一致させるように配置された前記第１のプーリーの直径の半分の直径の第２のプーリーとからなる２段プーリーを両端に備えた駆動軸及び従動軸と、
前記駆動軸の前記２段プーリーの前記第１のプーリーと前記従動軸の前記２段プーリーの前記第１のプーリーに巻き掛けられた無端の第１のベルトと、
前記駆動軸の前記２段プーリーの前記第２のプーリーと前記従動軸の前記２段プーリーの前記第２のプーリーに巻き掛けられた無端の第２のベルトと、
前記第１のベルトに端部を固定され、原稿を走査する第１の可動枠体と、
前記第２のベルトに端部を固定され、前記第１の可動枠体で原稿を走査した光を反射させる第２の可動枠体と、
前記第２の可動枠体で反射した光を受ける受光部と、
を備える画像読取装置において、
全ての前記２段プーリーが、前記第１のプーリーが前記第２のプーリーの外側となるように設けられていることを特徴とする画像読取装置。
【発明の詳細な説明】
【技術分野】
【０００１】
本発明は、画像読取装置に関する。
【背景技術】
【０００２】
複写機やファクシミリまたはコンピュータ等に原稿の画像をデータとして取り込むのに用いられる画像読取装置において、光源及び反射鏡を備えた第１の可動枠体によって原稿を照射及び走査し、２個の反射鏡を備えた第２の可動枠体で反射された原稿からの光をＣＣＤなどの受光素子によって受けるものが広く用いられている。
【０００３】
このような画像読取装置では、原稿からの光の受光素子への投影倍率を一定に保つため、走査の際の第１の可動枠体の移動速度ｖ１と第２の可動枠体の移動速度ｖ２の関係をｖ１：ｖ２＝２：１に保つ必要がある。そのため例えば特許文献１や特許文献２で提案された画像読取装置では、複数の固定プーリーに巻き付けられたワイヤに第１の枠体を固定し、このワイヤに巻き付けられた可動プーリーに第２の枠体を固定して、固定プーリーが回転してワイヤが動くと上述の速度比で第１の枠体及び第２の枠体が移動するようになっている。
【０００４】
可動プーリーを用いた画像読取装置では、使用するプーリーが多く、ワイヤが長くなるためワイヤの巻き付けが煩雑であり、第１の可動枠体及び第２の可動枠体の位置決めも難しいという問題があった。また、プーリーが多いため、画像の読み取り精度を高くするには各々のプーリーの精度を高いものにしなければならないという問題もあった。
【０００５】
また、可動プーリーを用いない画像読取装置も提案されている。例えば特許文献３では、同心状に配置された歯数の比が２：１の大小の歯付きのプーリーからなる２段の固定プーリーを両端に備えた駆動軸及び従動軸と、駆動軸及び従動軸の大小のプーリーのそれぞれに係合した２本の無端の歯付きベルトを用いた画像読取装置が提案されている。この画像読取装置では、大きいプーリーに巻き掛けられたベルトと小さいプーリーに巻き掛けられたベルトとが２：１の速度比で回転する。回転速度が速い大きいプーリーに巻き掛けられたベルトには上述の第１の可動枠体、回転速度が遅い小さいプーリーに巻き掛けられたベルトには第２の可動枠体を固定する。
【０００６】
このように構成することにより、固定プーリーへのベルトの巻き掛けは容易となり、第１の可動枠体及び第２の可動枠体の位置決めも容易なものとすることができる。さらにプーリーの数を可動プーリーを用いた場合よりも少なくすることができるため、プーリーに要求される精度も低くすることができる。
【特許文献１】特開平８−９５１６７号公報（第３頁−第４頁、図１）
【特許文献２】特開平７−１３２７２号公報（第３頁−第４頁、図１）
【特許文献３】特開昭６４−２９１６３号公報（第２頁−第３頁、第１図）
【発明の開示】
【発明が解決しようとする課題】
【０００７】
しかし、特許文献３に記載された画像読取装置では２段の固定プーリーが、小さい方が大きい方の外側となるように配置されているため、画像読取装置全体の幅が広くなるという問題があった。
【０００８】
また、大きいプーリーに巻き掛けられたベルトは小さいプーリーに巻き掛けられたベルトよりも内側に位置する。したがって、第２の可動枠体を小さいプーリーに巻き掛けられたベルトに取り付ける際には、大きいプーリーに巻き掛けられたベルトをよけるために第２の可動枠体を傾けなければ所定の位置へ配置できない。同様に、第２の可動枠体を取り外す際にも傾けなければならない。したがって、第２の可動枠体の取り付け、取り外しの作業性が悪く、第２の可動枠体を集光レンズなどの本体内部の部材にぶつけて不具合を生じさせる可能性が高い。
【０００９】
そこで本発明は、可動プーリーを用いない構造で、全体の幅を狭くでき、且つ可動枠体の取り付け、取り外しの作業性の良い画像読取装置を提供することを目的とする。
【課題を解決するための手段】
【００１０】
上記目的を達成するために本発明は、第１のプーリーと、前記第１のプーリーと軸を一致させるように配置された前記第１のプーリーの直径の半分の直径の第２のプーリーとからなる２段プーリーを両端に備えた駆動軸及び従動軸と、前記駆動軸の前記２段プーリーの前記第１のプーリーと前記従動軸の前記２段プーリーの前記第１のプーリーに巻き掛けられた無端の第１のワイヤと、前記駆動軸の前記２段プーリーの前記第２のプーリーと前記従動軸の前記２段プーリーの前記第２のプーリーに巻き掛けられた無端の第２のワイヤと、前記第１のワイヤに端部を固定され、原稿を走査する第１の可動枠体と、前記第２のワイヤに端部を固定され、前記第１の可動枠体で原稿を走査した光を反射させる第２の可動枠体と、前記第２の可動枠体で反射した光を受ける受光部と、を備える画像読取装置において、全ての前記２段プーリーが、前記第１のプーリーが前記第２のプーリーの外側となるように設けられていることを特徴とする。
【００１１】
また本発明は、第１のプーリーと、前記第１のプーリーと軸を一致させるように配置された前記第１のプーリーの直径の半分の直径の第２のプーリーとからなる２段プーリーを両端に備えた駆動軸及び従動軸と、前記駆動軸の前記２段プーリーの前記第１のプーリーと前記従動軸の前記２段プーリーの前記第１のプーリーに巻き掛けられた無端の第１のベルトと、前記駆動軸の前記２段プーリーの前記第２のプーリーと前記従動軸の前記２段プーリーの前記第２のプーリーに巻き掛けられた無端の第２のベルトと、前記第１のベルトに端部を固定され、原稿を走査する第１の可動枠体と、前記第２のベルトに端部を固定され、前記第１の可動枠体で原稿を走査した光を反射させる第２の可動枠体と、前記第２の可動枠体で反射した光を受ける受光部と、を備える画像読取装置において、全ての前記２段プーリーが、前記第１のプーリーが前記第２のプーリーの外側となるように設けられていることを特徴とする。
【発明の効果】
【００１２】
本発明によると、２段プーリーは第１のプーリーよりも直径の小さい第２のプーリーが第１のプーリーの内側となるように駆動軸及び従動軸に取り付けられており、低速ワイヤは高速ワイヤの内側に位置する、そのため、第２の可動枠体の幅を第１の可動枠体の幅よりも狭くし、駆動軸及び従動軸を短くすることができ、画像読取装置の小型化を図ることができる。また、第２の可動枠体を低速ワイヤに取り付け、取り外す際に傾ける必要がなく、作業性が高いものとすることができる。
【発明を実施するための最良の形態】
【００１３】
本発明の実施形態について図を用いて説明する。図１は本実施形態の画像読取装置の概略構成図、図２は画像読取装置の停止時の概略斜視図、図３は画像読取装置の駆動装置周辺の部分拡大図、図４は画像読取装置の画像読取時の概略斜視図である。
【００１４】
まず、画像読取装置１０の構成について説明する。図１に示すように、画像読取装置１０は、本体１１と、本体１１の上部に設けられた蓋１２とを備える。蓋１２は、本体１１の上面に載置された原稿１９を押さえるものであり、本体１１に図１の奥側を支点として開閉自在に取り付けられている。
【００１５】
本体１１は、上面にガラスなどの透明な材料からなるプラテン１３を備え、内部には、図１において左右方向にプラテン１３の下方をプラテン１３に平行に移動可能に設けられた第１の可動枠体２０及び第２の可動枠体３０、受光部１６、制御部１７を備える。受光部１６は、集光レンズ１６ａ及び受光素子１６ｂを備え、受光素子１６ｂとしては、例えばライン型のＣＣＤを用いることができる。第１の可動枠体２０は、枠２１上に露光ランプ２２と第１の反射鏡２３とを搭載し、第２の可動枠体３０は、枠３１上に第２の反射鏡３２と第３の反射鏡３３とを搭載する。制御部１７は、使用者による操作ボタン（不図示）の操作による指示や、画像読取装置１０に接続された外部コンピュータ（不図示）の指示を受け、画像読取装置１０の動作を制御する。
【００１６】
また、本体１１の内部には、図２に示す枠体駆動部４０が設けられている。枠体駆動部４０は、モータからなる駆動装置４１、駆動軸４２、従動軸４３、４本の無端のワイヤ４４を備える。駆動軸４２及び従動軸４３の両端には２段プーリー４５が設けられている。２段プーリー４５は、直径の異なるプーリーが同軸となるように形成されており、大きい方のプーリー（以下大プーリー４５ａ）の直径は小さい方のプーリー（以下小プーリー４５ｂ）の直径の２倍である。２段プーリー４５は、駆動軸４２及び従動軸４３に、小プーリー４５ｂが内側となるように固定されている。駆動軸４２と従動軸４３は、互いに平行に配置されており、同じ側の２段プーリー４５には、大プーリー４５ａ同士と小プーリー４５ｂ同士のそれぞれにワイヤ４４がたるみなく巻き掛けられている。また、図３に示すように、駆動軸４２の一端には２段プーリー４５の外側に駆動プーリー４６が設けられており、駆動プーリー４６と駆動装置４１の駆動軸４２とは駆動ベルト４７が巻き掛けられているため、駆動装置４１の駆動力が駆動軸４２に伝達される。ここで、大プーリー４５ａに巻き掛けられているワイヤ４４を高速ワイヤ４４ａ、小プーリー４５ｂに巻き掛けられているワイヤ４４を低速ワイヤ４４ｂと呼ぶことにし、ワイヤ４４を高速ワイヤ４４ａ及び低速ワイヤ４４ｂの総称とする。
【００１７】
２本の高速ワイヤ４４ａのそれぞれには第１の可動枠体２０の枠２１の梁２４の一端及び他端が固定されており、２本の低速ワイヤ４４ｂのそれぞれには第２の可動枠体３０の枠３１の梁３４の一端及び他端が固定されている。
【００１８】
なお、簡略化のため図１では枠体駆動部４０を省略しており、図２では第１の可動枠体２０及び第２の可動枠体３０は枠２１、３１だけを示している。
【００１９】
次に、画像読取装置１０の動作について説明する。制御部１７が指示を受け、駆動装置４１が回転を開始すると、第１の可動枠体２０及び第２の可動枠体３０は、図２に示す初期位置から、プラテン１３の下方をプラテン１３に平行に図４に示すように移動し、プラテン１３上の原稿を露光ランプ２２で照射し、読取走査する。照射光は順に第１の反射鏡２３、第２の反射鏡３２及び第３の反射鏡３３で反射し、集光レンズ１６ａを通じて受光素子１６ｂ上に縮小結像され、光電変換処理を経て電気信号となるように読み取られ、この電気信号は制御部１７を経由して、画像読取装置１０に接続された外部コンピュータ（不図示）又はプリンタや複写機のような画像形成装置（不図示）に送られる。
【００２０】
本実施形態において、第１の可動枠体２０は高速ワイヤ４４ａに固定され、第２の可動枠体３０は低速ワイヤ４４ｂに固定されており、２段プーリー４５の大プーリー４５ａの直径は小プーリー４５ｂの直径の２倍であるため、第１の可動枠体２０の移動速度ｖ１と第２の可動枠体３０の移動速度ｖ２とはｖ１：ｖ２＝２：１の関係にある。したがって、第１の可動枠体２０の露光ランプ２２から出射し、原稿を照射した光が受光素子１６ｂまで通過する距離は一定に保たれる。
【００２１】
画像読取装置１０の光学系において、原稿を照射した光は集光レンズ１６ａに近づくにしたがって集束するため、第２の反射鏡３２及び第３の反射鏡３３の幅は第１の反射鏡２３の幅よりも狭くてもよい。したがって、第２の可動枠体３０の枠３１の幅は、第１の可動枠体２０の枠２１の幅よりも狭くすることができる。
【００２２】
本実施形態において、２段プーリー４５は小プーリー４５ｂが内側となるように駆動軸４２及び従動軸４３に取り付けられているため、第２の可動枠体３０の枠３１の幅を第１の可動枠体２０の枠２１の幅よりも狭くすると、駆動軸４２及び従動軸４３を短くすることで、画像読取装置１０の奥行き（図１の紙面に垂直な方向）を、２段プーリー４５の小プーリー４５ｂが外側となるように駆動軸４２及び従動軸４３に取り付けられている場合と比べて狭くすることができ、画像読取装置１０の小型化を図ることができる。
【００２３】
また、画像読取装置１０の製造時には本体１１に枠体駆動部４０を取り付けた後で第１の可動枠体２０及び第２の可動枠体３０をワイヤ４４に取り付けることになる。したがって、２段プーリー４５の小プーリー４５ｂが外側となるように駆動軸４２及び従動軸４３に取り付けられている場合には、高速ワイヤ４４ａをよけるために第２の可動枠体３０を傾けなければならず、第２の可動枠体３０を集光レンズ１６ａなどの本体１１内部の部材にぶつける可能性が高い。
【００２４】
しかし、本実施形態では、２段プーリー４５は小プーリー４５ｂが大プーリー４５ａの内側となるように駆動軸４２及び従動軸４３に取り付けられており、低速ワイヤ４４ｂは高速ワイヤ４４ａの内側に位置するため、第２の可動枠体３０は低速ワイヤ４４ｂに取り付ける際に、傾けることなく本体１１の真上から所定の位置へ配置することができる。また、画像読取装置１０のメンテナンス時に、第２の可動枠体３０を取り外す際にも、再度取り付ける際にも第２の可動枠体３０を傾ける必要がない。したがって、画像読取装置１０の製造時やメンテナンス時に、第２の可動枠体３０を集光レンズ１６ａなどの本体１１内部の部材にぶつける可能性は非常に低く、作業性も高い。
【００２５】
なお、本実施形態において、ワイヤ４４の代わりに無端の平ベルトや歯付きベルトを用い、２段プーリー４５として歯付きのプーリーを用いても構わない。
【産業上の利用可能性】
【００２６】
本発明は、コンピュータ等に原稿の画像をデータとして取り込むのに用いられる画像読取装置や、複写機やファクシミリの一部として設けられた画像読取部として用いることができる。
【図面の簡単な説明】
【００２７】
【図１】本発明の画像読取装置の概略構成図
【図２】本発明の画像読取装置の停止時の概略斜視図
【図３】本発明の画像読取装置の駆動装置周辺の部分拡大図
【図４】本発明の画像読取装置の画像読取時の概略斜視図
【符号の説明】
【００２８】
１０      画像読取装置
１１      本体
１２      蓋
１３      プラテン
１６      受光部
１６ａ    集光レンズ
１６ｂ    受光素子
１７      制御部
１９      原稿
２０      第１の可動枠体
２１      枠１
２２      露光ランプ
２３      第１の反射鏡
２４      梁
３０      第２の可動枠体
３１      枠２
３２      第２の反射鏡
３３      第３の反射鏡
３４      梁
４０      枠体駆動部
４１      駆動装置
４２      駆動軸
４３      従動軸
４４      ワイヤ
４４ａ    高速ワイヤ
４４ｂ    低速ワイヤ
４５      ２段プーリー
４５ａ    大プーリー
４５ｂ    小プーリー
４６      駆動プーリー
４７      駆動ベルト
【図１】
2008176023.tif 000003
【図２】
2008176023.tif 000004
【図３】
2008176023.tif 000005
【図４】
2008176023.tif 000006